(57)【要約】【課題】  家具の所定位置に安定的に固定することができ、家具が地震で横移動しても位置ずれしたり、捲れたりすることがなく、又、十分な弾性と強度を有し、家具が横移動しても摺り切れたりせず、さらに、製造コストが嵩むことなく必要量だけを少量生産することができる家具転倒防止パッドを提供する。【解決手段】  家具の下面と床面との間に配置され、接着剤を介することなく上記家具の角部における下面部と側面部、及び上記床面に貼着することにより、上記家具を上記床面に対し固定しうるように形成され、平面方形状に形成され、家具の角部下面に貼着しうる底板部と、上記底板部における直交する２辺部に沿ってそれぞれ立設され、上記家具の直交する２側面部にそれぞれ貼着しうる起立壁部とを有する。【選択図】  図２
0003111964.tif 000002
【実用新案登録請求の範囲】
【請求項１】
家具の下面と床面との間に配置され、接着剤を介することなく上記家具の角部における下面部と側面部、及び上記床面に貼着することにより、上記家具を上記床面に対し固定しうるように形成され、平面方形状に形成され、家具の角部下面に貼着しうる底板部と、上記底板部における直交する２辺部に沿ってそれぞれ立設され、上記家具の直交する２側面部にそれぞれ貼着しうる起立壁部とを有することを特徴とする家具転倒防止パッド。
【請求項２】
上記底板部は、長辺部の長さ寸法が約１００ｍｍ、短辺部の長さ寸法が約５０ｍｍ、厚さ寸法が約４ｍｍに設定されていることを特徴とする請求項１記載の家具転倒防止パッド。
【請求項３】
上記起立壁部は、高さ寸法が約１５ｍｍ、厚さ寸法が約４ｍｍに設定されていることを特徴とする請求項１〜２記載の家具転倒防止パッド。
【請求項４】
上記底板部と起立壁部は弾性素材により形成されていることを特徴とする請求項１〜３記載の家具転倒防止パッド。
【請求項５】
上記弾性素材として自己粘着性を有するエラストマーが使用されていることを特徴とする請求項４記載の家具転倒防止パッド。
【請求項６】
射出成形により形成されていることを特徴とする請求項１〜５記載の家具転倒防止パッド。
【考案の詳細な説明】
【技術分野】
【０００１】
本考案は家具転倒防止パッドに係り、特に、自己粘着性を有して、家具と床とに貼着することにより家具を床に対し容易に固定しうる家具転倒防止パッドに関する。
【背景技術】
【０００２】
近年、各地で地震が多発している。震度６ないし７程度の大地震になると、耐震構造を有しない家屋は破壊されてしまうことが多い。震度４ないし５程度の中規模の地震では、家屋は破壊しないまでも、家具は転倒する恐れが多分にあり、転倒した家具の下敷きになって人命が失われる危険がある。
従って、家具を転倒しないように固定しうる用具が要望されている。
【０００３】
上記の要望に応えるために、従来、自己粘着性を有するエラストマーを用いてシート状に形成された家具転倒防止シートが提案されている。
【０００４】
しかしながら、上記家具転倒防止シートは、家具に対する固定位置が安定せず、家具が地震で横移動した場合に、位置ずれしたり、捲れやすいという不具合があった。
【０００５】
また、上記家具転倒防止シートは、ほぼ０．０５〜１．０ｍｍの厚さ寸法を有するように形成され、厚さ寸法が非常に小さいことから、弾力性及び強度が足りず、家具が横移動してシートにせん断力が作用した場合に柔軟に対応できず、摺り切れやすいという不具合もあった。
【０００６】
また、上記のような自己粘着性を有するエラストマーシートを生産する場合は、被成型物であるシートそのものが粘着性を有することから、機械のメンテナンスや、成形後の加工に手間取るという不具合がある。
従って、小ロットでの少量の生産を行った場合は製造コストが嵩むので、このような自己粘着性を有するエラストマーシートは、一般的に、押出成形、インフレーション成形、カレンダー成形などの方法で成形されているが、このような方法で成形した場合には、必要量だけを少量生産することができず、かつ立体的なものを成形しにくいという不具合があった。
【０００７】
本出願人は、上記の不具合を解消しうる家具転倒防止具について先行技術を調査したが、関連する先行技術文献を見出すことはできなかった。
【考案の開示】
【考案が解決しようとする課題】
【０００８】
そこで本考案の課題は、家具の所定位置に安定的に固定することができ、家具が地震で横移動しても位置ずれしたり、捲れたりすることがなく、又、十分な弾性と強度を有し、家具が横移動しても摺り切れたりせず、さらに、製造コストが嵩むことなく必要量だけを少量生産することができる家具転倒防止パッドを提供することにある。
【課題を解決するための手段】
【０００９】
上記課題を解決するために、請求項１記載の本考案に係る家具転倒防止パッドは、家具の下面と床面との間に配置され、接着剤を介することなく上記家具の角部における下面部と側面部、及び上記床面に貼着することにより、上記家具を上記床面に対し固定しうるように形成され、平面方形状に形成され、家具の角部下面に貼着しうる底板部と、上記底板部における直交する２辺部に沿ってそれぞれ立設され、上記家具の直交する２側面部にそれぞれ貼着しうる起立壁部とを有することを特徴とする。
【００１０】
即ち、請求項１記載の本考案に係る家具転倒防止パッドにあっては、家具の下面部と床面とに貼着しうるように底板部が設けられ、家具の２側面部に貼着しうるように、上記底板部における直交する２辺部に沿ってそれぞれ起立壁部が立設されている。これにより、家具の下面部のみが固定されるのではなく、家具の２側面部も固定されて横移動しにくくなり、家具の固定状態が強化され安定する。
【００１１】
また、請求項２記載の本考案に係る家具転倒防止パッドは、上記底板部は、長辺部の長さ寸法が約１００ｍｍ、短辺部の長さ寸法が約５０ｍｍ、厚さ寸法が約４ｍｍに設定されていることを特徴とする。
【００１２】
即ち、請求項２記載の本考案に係る家具転倒防止パッドにあっては、床面に貼着した場合に十分な固定力を得られるように、上記底板部の長辺部の長さ寸法が約１００ｍｍ、短辺部の長さ寸法が約５０ｍｍ、厚さ寸法が約４ｍｍに設定されている。
【００１３】
また、請求項３記載の本考案に係る家具転倒防止パッドは、上記起立壁部は、高さ寸法が約１５ｍｍ、厚さ寸法が約４ｍｍに設定されていることを特徴とする。
【００１４】
即ち、請求項３記載の本考案に係る家具転倒防止パッドにあっては、家具の側面部に貼着した場合に十分な固定力を得られるように、上記起立壁部の高さ寸法が約１５ｍｍに、又、厚さ寸法が約４ｍｍに設定されている。
【００１５】
また、請求項４記載の本考案に係る家具転倒防止パッドは、上記底板部と起立壁部は弾性素材により形成されていることを特徴とする。
【００１６】
即ち、請求項４記載の本考案に係る家具転倒防止パッドにあっては、地震による振動を変形により吸収緩和することができるように弾性素材により形成されている。
【００１７】
また、請求項５記載の本考案に係る家具転倒防止パッドは、上記弾性素材として自己粘着性を有するエラストマーが使用されていることを特徴とする。
【００１８】
即ち、請求項５記載の本考案に係る家具転倒防止パッドにあっては、接着剤を使用することなく家具や床面に対し貼着しうる素材が使用され、その素材として自己粘着性を有するエラストマーが採用されている。
【００１９】
また、請求項６記載の本考案に係る家具転倒防止パッドは、射出成形により形成されていることを特徴とする。
【００２０】
即ち、請求項６記載の本考案に係る家具転倒防止パッドにあっては、押出成形、インフレーション成形、カレンダー成形などの成形方法に比べ、小ロットでの少量生産に適し、かつ立体形状物の成形に適した射出成形により成形している。                
【考案の効果】
【００２１】
請求項１記載の本発明に係る家具転倒防止パッドは、家具の下面と床面との間に配置され、接着剤を介することなく上記家具の角部における下面部と側面部、及び上記床面に貼着することにより、上記家具を上記床面に対し固定しうるように形成されていることから、上記家具の下面部は上記床面に貼着して固定され、地震により振動しても転倒を防止される。従って、転倒した家具の下敷きになって人命が失われるという危険性が減少する。また、家具の角部における側面部にも貼着することから、家具の横移動が阻止され、家具に挟まれるという事故も防止される。また、接着剤を介することなく家具及び床面に対し貼着しうることから、取り付けが容易である。
また、上記家具転倒防止パッドは、平面方形状に形成され、家具の角部下面に貼着しうる底板部と、上記底板部における直交する２辺部に沿ってそれぞれ立設され、上記家具の直交する２側面部にそれぞれ貼着しうる起立壁部とを有することから、上記底板部が上記家具の下面部と上記床面とに貼着して固定することにより上記家具の転倒を防止すると共に、上記起立壁部が上記家具の２側面部に貼着して家具の移動を阻止することができる。
【００２２】
また、請求項２記載の本考案に係る家具転倒防止パッドは、上記底板部は、長辺部の長さ寸法が約１００ｍｍ、短辺部の長さ寸法が約５０ｍｍ、厚さ寸法が約４ｍｍに設定されていることから、上記底板部は家具の下面部に対し十分な接触面積を有し、地震による家具の転倒を防止するために必要な固定力を十分に有することができる。
【００２３】
また、請求項３記載の本考案に係る家具転倒防止パッドは、上記起立壁部は、高さ寸法が約１５ｍｍ、厚さ寸法が約４ｍｍに設定されていることから、上記起立壁部は家具の側面部に対し十分な接触面積を有し、地震による家具の横移動を阻止するために必要な固定力を十分に有することができる。
【００２４】
また、請求項４記載の本考案に係る家具転倒防止パッドは、上記底板部と起立壁部は弾性素材により形成されていることから、地震による家具の振動を緩和して家具を転倒しにくくすることができる。また、家具が横移動した場合に、変形して位置ずれを吸収することができる。
【００２５】
また、請求項５記載の本考案に係る家具転倒防止パッドは、上記弾性素材として自己粘着性を有するエラストマーが使用されていることから、接着剤を介することなく家具及び床面に対し貼着することができると共に、素材も取り扱いやすく成形も容易なので、製造コストを低減することができる。
【００２６】
また、請求項６記載の本考案に係る家具転倒防止パッドは、射出成形により形成されていることから、上記のように起立壁部を有して立体的な形状のものでも、容易に成形することができる。
また、押出成形、インフレーション成形、カレンダー成形などの成形方法で成形されたものに比べ、小ロットでの少量生産にも容易に対応することができることから、低コストで必要量だけを少量生産することができる。
【考案を実施するための最良の形態】
【００２７】
以下、図面を用いて本考案の実施の形態について説明する。
本実施の形態に係る家具転倒防止パッド１１は、図２に示すように、家具１２の下面部１３と床面１４との間に配置され、接着剤を介することなく上記家具１２の角部１５における下面部１３と側面部１６，１７、及び上記床面１４に貼着することにより、上記家具１２を上記床面１４に対し固定しうるように形成され、図１に示すように、平面方形状に形成され、家具１２の角部１５下面に貼着しうる底板部１８と、上記底板部１８における直交する２辺部に沿ってそれぞれ立設され、上記家具１２の直交する２側面部１６，１７にそれぞれ貼着しうる起立壁部１９，２０とを有している。
また、上記底板部１８は、長辺部２３の長さ寸法が約１００ｍｍ、短辺部２４の長さ寸法が約５０ｍｍ、厚さ寸法が約４ｍｍに設定されている。
また、上記起立壁部１９，２０は、高さ寸法が約１５ｍｍ、厚さ寸法が約４ｍｍに設定されている。
また、上記底板部１８と起立壁部１９，２０は弾性素材２１により形成されている。
また、上記弾性素材２１として自己粘着性を有するエラストマー２２が使用されている。
また、上記家具転倒防止パッド１１は射出成形により形成されている。
【実施例１】
【００２８】
図１及び図２は、実施例１に係る家具転倒防止パッド１１を示したものである。
【００２９】
上記家具転倒防止パッド１１は、図１に示すように、平面方形状に形成され、家具１２の角部１５下面に貼着しうる底板部１８を有している。
【００３０】
上記底板部１８は、長辺部２３の長さ寸法が約１００ｍｍ、短辺部２４の長さ寸法が約５０ｍｍ、厚さ寸法が約４ｍｍに設定されている。
【００３１】
また、上記家具転倒防止パッド１１は、図１に示すように、起立壁部１９，２０も有している。
【００３２】
上記起立壁部１９，２０は、図１に示すように、上記底板部１８における直交する２辺部に沿ってそれぞれ立設され、上記家具１２の直交する２側面部１６，１７にそれぞれ貼着しうるように形成されている。
【００３３】
上記起立壁部１９，２０は、高さ寸法が約１５ｍｍ、厚さ寸法が約４ｍｍに設定されている。
【００３４】
上記家具転倒防止パッド１１は、図１に示すように、上記底板部１８と、上記起立壁部１９，２０とから成り、立体形状を有していることから、射出成形により形成されている。
【００３５】
即ち、上記家具転倒防止パッド１１は、成形方法として、シート状部材を形成する場合に採用される押出成形や、インフレーション成形や、カレンダー成形等の方法は採用されず、射出成形が採用されている。
従って、上記家具転倒防止パッド１１は、押出成形や、インフレーション成形や、カレンダー成形等で成形されたシート状部材とは明確に異なり、シート状部材より厚さ寸法が大きく、上記のように厚さ寸法は約４ｍｍに設定されている。
【００３６】
上記家具転倒防止パッド１１の素材には弾性素材２１が使用され、上記弾性素材２１としてスチレン系熱可塑性エラストマー２２を主体とする混合物が使用されている。
【００３７】
上記家具転倒防止パッド１１の素材として使用されている上記混合物は、パラフィン系オイルが含有されたスチレン系ポリマーを主成分とし、自己粘着性を有している。
である。
なお、パラフィン系オイルは３０〜４０％含有されている。
【００３８】
上記家具転倒防止パッド１１は、図２に示すように、床面１４の上に設置される家具１２を、上記床面１４に固定するために使用されている。
【００３９】
即ち、床面１４の4箇所に上記家具転倒防止パッド１１を接着剤を介することなく、上記自己粘着性を利用して貼着し、その上に家具１２を、その四隅角部１５の下面部１３が上記底板部１８の上に載るように置いて貼着すると共に、上記家具１２の直交する２側面部１６，１７にそれぞれ上記起立壁部１９，２０を貼着することにより、上記家具１２を上記床面部１４に対し固定している。
【００４０】
次に、上記実施例の作用について説明する。
本実施例に係る家具転倒防止パッド１１は、図２に示すように、家具１２の下面部１３と床面１４との間に配置され、接着剤を介することなく上記家具１２の角部１５における下面部１３と側面部１６，１７、及び上記床面１４に貼着することにより、上記家具１２を上記床面１４に対し固定しうるように形成されていることから、接着剤を上記家具１２と上記床面１４の間に配置する煩雑さが解消する。
また、上記家具転倒防止パッド１１は、図１に示すように、平面方形状に形成され、家具１２の角部１５下面に貼着しうる底板部１８と、上記底板部１８における直交する２辺部に沿ってそれぞれ立設され、上記家具１２の直交する２側面部１６，１７にそれぞれ貼着しうる起立壁部１９，２０とを有していることから、上記底板部１８が上記床面１４に貼着することにより固定され、上記起立壁部１９，２０が上記家具１２の２側面部１６，１７に貼着することにより固定されることになるので、上記家具１２の固定状態が安定する。
【００４１】
また、上記底板部１８は、長辺部２３の長さ寸法が約１００ｍｍ、短辺部２４の長さ寸法が約５０ｍｍ、厚さ寸法が約４ｍｍに設定されていることから、上記底板部１８を上記床面１４に貼着した場合に十分な固定力を発揮することができる。
また、上記起立壁部１９，２０は、高さ寸法が約１５ｍｍ、厚さ寸法が約４ｍｍに設定されていることから、上記起立壁部１９，２０を上記家具１２の側面部１６，１７に対し貼着した場合に十分な固定力を発揮することができる。
【００４２】
また、上記底板部１８と起立壁部１９，２０は弾性素材２１により形成されていることから、家具１２が地震により振動しても、変形することによりその振動を吸収緩和することができる。
また、上記弾性素材２１として自己粘着性を有するエラストマー２２が使用されていることから、上記のように接着剤を介することなく、上記家具１２の下面部１３と側面部１６，１７、及び床面１４に対し貼着することができる。
また、上記家具転倒防止パッド１１は射出成形により形成されていることから、上記のように底板部１８と起立壁部１９，２０とからなる立体形状を有していても容易に成形することができる。
【産業上の利用可能性】
【００４３】
本考案は、地震による家具の転倒を防止するための用具に適用可能である。
【図面の簡単な説明】
【００４４】
【図１】実施例に係る家具転倒防止パッドの斜視図である。
【図２】使用状態を示す斜視図である。
【符号の説明】
【００４５】
１１  家具転倒防止パッド  
１２  家具
１３  下面部
１４  床面
１５  角部
１６  側面部
１７  側面部
１８  底板部
１９  起立壁部
２０  起立壁部
２１  酸性素材
２２  エラストマー
２３  長辺部
２４  短辺部
【図１】
0003111964.tif 000003
【図２】
0003111964.tif 000004